【手続補正書】
【提出日】平成18年5月8日(2006.5.8)
【手続補正１】
【補正対象書類名】明細書
【補正対象項目名】特許請求の範囲
【補正方法】変更
【補正の内容】
【特許請求の範囲】
【請求項１】  入力されたイメージそれぞれに対して、格納手段に格納されているオリジナル電子データを検索する検索ステップと、
前記検索ステップでオリジナル電子データが検索されなかった場合、前記入力されたイメージをベクトルデータ化するベクトル化ステップと、
前記ベクトル化ステップでベクトルデータ化されたイメージを電子データとして格納手段に格納する格納ステップと、
前記検索ステップでオリジナル電子データが検索された場合において当該検索されたオリジナル電子データに関する情報、あるいは前記検索ステップでオリジナル電子データが検索されなかった場合において前記ベクトル化ステップでベクトル化されて前記格納ステップで格納された電子データに関する情報、の少なくともいずれかを含むシートを生成するシート生成ステップと
を有することを特徴とする、画像処理装置の画像処理方法。
【請求項２】  前記シート生成ステップで生成されたシートに含まれる、オリジナル電子データに関する情報あるいは前記格納ステップで格納された電子データに関する情報は、それぞれ、当該検索されたオリジナル電子データの格納アドレスあるいは前記格納ステップで格納された電子データの格納アドレスを含むことを特徴とする請求項１に記載の画像処理方法。
【請求項３】  前記検索ステップでは、前記入力されたイメージに付加されている、前記オリジナル電子データが格納されているアドレスを示す識別子を認識し、該識別子を認識した結果に基づいて前記オリジナル電子データを検索することを特徴とする請求項１に記載の画像処理方法。
【請求項４】  前記ベクトル化ステップでは、前記イメージ内に含まれる文字ブロックを文字認識した結果に基づいてベクトル化することを特徴とする請求項１に記載の画像処理方法。
【請求項５】  前記ベクトル化ステップでは、有意な画素の輪郭に基づいてアウトライン化してベクトル化することを特徴とする請求項１に記載の画像処理方法。
【請求項６】  更に、前記ベクトル化ステップでベクトルデータ化されたイメージを、既存の文書作成アプリケーションで扱える既定のフォーマットに変換するフォーマット変換ステップを有することを特徴とする請求項１に記載の画像処理方法。
【請求項７】  前記ベクトル化ステップでは、前記イメージ中に含まれるオブジェクトごとにベクトルデータ化することを特徴とする請求項１に記載の画像処理方法。
【請求項８】  前記シート生成ステップで生成されたシートに含まれる、オリジナル電子データに関する情報あるいは前記格納ステップで格納された電子データに関する情報は、それぞれの電子データのサムネイル、タイトル、要約、キーワード、ＩＤ、日付、著作者の少なくともいずれかを含むことを特徴とする請求項１に記載の画像処理方法。
【請求項９】  更に、前記生成されたシートを編集する編集ステップを有することを特徴とする請求項１に記載の画像処理方法。
【請求項１０】  前記編集ステップでは、前記シートに含まれるオリジナル電子データに関する情報あるいは前記格納ステップで格納された電子データに関する情報の中から、所望のデータを選択して新規シートを編集して作成することを特徴とする請求項９に記載の画像処理方法。
【請求項１１】  前記編集ステップでは、前記シートに含まれるオリジナル電子データに関する情報あるいは前記格納ステップで格納された電子データに関する情報の中から、所望のデータを選択し、更に、当該選択したデータ中の所望の部分情報を選択することにより、当該選択された部分情報を用いて編集することを特徴とする請求項９に記載の画像処理方法。
【請求項１２】  更に、前記生成されたシートをスキャンして得たイメージを表示し、当該表示されたイメージにおいてユーザにより選択された電子データに関する情報に基づいて、処理を実行する処理ステップを有することを特徴とする請求項１に記載の画像処理方法。
【請求項１３】  前記処理ステップでは、前記ユーザにより選択された情報に対応するオリジナル電子データあるいは電子データに対して、所望の処理が実行されることを特徴とする請求項１２に記載の画像処理方法。
【請求項１４】  前記格納アドレスに関する情報は、電子透かしあるいはバーコードで記載されることを特徴とする請求項２に記載の画像処理方法。
【請求項１５】  請求項１乃至１４のいずれかに記載の各ステップを、コンピュータに実行させるためのコンピュータプログラム。
【請求項１６】  請求項１５に記載のコンピュータプログラムを格納したことを特徴とする、コンピュータ読み取り可能な記憶媒体。
【請求項１７】  入力されたイメージそれぞれに対して、格納手段に格納されているオリジナル電子データを検索する検索手段と、
前記検索手段でオリジナル電子データが検索されなかった場合、前記入力されたイメージをベクトルデータ化するベクトル化手段と、
前記ベクトル化手段でベクトルデータ化されたイメージを電子データとして格納手段に格納する保存手段と、
前記検索手段でオリジナル電子データが検索された場合において当該検索されたオリジナル電子データに関する情報あるいは前記検索手段でオリジナル電子データが検索されなかった場合において前記ベクトル化手段でベクトル化されて保存手段で格納された電子データに関する情報の少なくともいずれかを含むシートを生成するシート生成手段と
を有することを特徴とする画像処理システム。
【手続補正２】
【補正対象書類名】明細書
【補正対象項目名】０１４５
【補正方法】削除
【補正の内容】
【手続補正３】
【補正対象書類名】明細書
【補正対象項目名】０１４６
【補正方法】削除
【補正の内容】
【手続補正４】
【補正対象書類名】明細書
【補正対象項目名】０１４７
【補正方法】削除
【補正の内容】
【手続補正５】
【補正対象書類名】明細書
【補正対象項目名】０１４８
【補正方法】削除
【補正の内容】
【手続補正６】
【補正対象書類名】明細書
【補正対象項目名】０１４９
【補正方法】削除
【補正の内容】
【手続補正７】
【補正対象書類名】明細書
【補正対象項目名】０１５０
【補正方法】削除
【補正の内容】
【手続補正８】
【補正対象書類名】明細書
【補正対象項目名】０１５１
【補正方法】削除
【補正の内容】
【手続補正９】
【補正対象書類名】明細書
【補正対象項目名】０１５２
【補正方法】削除
【補正の内容】
【手続補正１０】
【補正対象書類名】明細書
【補正対象項目名】０１５３
【補正方法】削除
【補正の内容】
【手続補正１１】
【補正対象書類名】明細書
【補正対象項目名】０１５４
【補正方法】削除
【補正の内容】
【手続補正１２】
【補正対象書類名】明細書
【補正対象項目名】０１５５
【補正方法】削除
【補正の内容】
【手続補正１３】
【補正対象書類名】明細書
【補正対象項目名】０１５６
【補正方法】削除
【補正の内容】
【手続補正１４】
【補正対象書類名】明細書
【補正対象項目名】０１５７
【補正方法】削除
【補正の内容】
【手続補正１５】
【補正対象書類名】明細書
【補正対象項目名】０１５８
【補正方法】削除
【補正の内容】
【手続補正１６】
【補正対象書類名】明細書
【補正対象項目名】０１５９
【補正方法】削除
【補正の内容】
【手続補正１７】
【補正対象書類名】明細書
【補正対象項目名】０１６０
【補正方法】削除
【補正の内容】
【手続補正１８】
【補正対象書類名】明細書
【補正対象項目名】０１６１
【補正方法】削除
【補正の内容】